(57)【要約】【課題】負荷に供給する電圧の急変を簡易な構成で検出可能とする。【解決手段】実施形態の電源装置は、電源からの電流を定電流として発光素子へ供給する定電流部と、発光素子に印加させる電圧を検出する電圧検出回路と、電圧検出回路と並列に接続され、発光素子に印加される電圧の変動に対して所定の時定数に対応した出力を行う時定数回路と、電圧検出回路の出力と、時定数回路の出力とを比較して発光素子に印加される電圧の急変を検出する検出部と、検出された電圧の急変に応じて、定電流部を制御する制御部とを具備する。【選択図】図１
2015185434.tif 000002
【特許請求の範囲】
【請求項１】
電源からの電流を定電流として発光素子へ供給する定電流部と；
前記発光素子に印加させる電圧を検出する電圧検出回路と；
前記電圧検出回路と並列に接続され、前記発光素子に印加される電圧の変動に対して所定の時定数に対応した出力を行う時定数回路と；
前記電圧検出回路の出力と、前記時定数回路の出力とを比較して前記発光素子に印加される電圧の急変を検出する検出部と；
前記検出された電圧の急変に応じて、前記定電流部を制御する制御部と；
を具備する電源装置。
【請求項２】
前記制御部は、前記電圧の急変が検出された場合に、前記定電流部の出力を低減又は停止させることを特徴とする
請求項１に記載の電源装置。
【請求項３】
前記制御部は、前記電圧の急変が検出された場合に、前記定電流部を再始動させることを特徴とする
請求項１に記載の電源装置。
【請求項４】
前記発光素子に印加される電圧の急変の検出を遅延させて前記制御部に伝達する遅延部を更に備えることを特徴とする
請求項１乃至３のいずれか一項に記載の電源装置。
【請求項５】
前記制御部は、前記定電流部の出力を開始した後の所定時間内に前記電圧の急変が検出された場合には前記定電流部の出力を低減させ、前記所定時間後に前記電圧の急変が検出された場合には前記定電流部の出力を停止させる
請求項１乃至４のいずれか一項に記載の電源装置。
【請求項６】
請求項１乃至５のいずれか一項に記載された電源装置と；
発光素子と；
を具備する照明装置。
【発明の詳細な説明】
【技術分野】
【０００１】
本発明の実施形態は、電源装置および照明装置に関する。
【背景技術】
【０００２】
従来、例えば照明装置の光源等の負荷に電源を供給する電源装置では、電源からの電流を定電流回路で一定とするように制御して負荷に供給している。この電源装置では、マイクロコンピュータを用いた電圧検出回路により、負荷に供給する電圧の急変を検出し、その電圧の急変に対応した定電流の出力制御を行っている。
【先行技術文献】
【特許文献】
【０００３】
【特許文献１】特開２０１２−２２７１５５号公報
【特許文献２】特開２０１２−１９１１６９号公報
【発明の概要】
【発明が解決しようとする課題】
【０００４】
しかしながら、上述した従来技術では、電圧検出回路にマイクロコンピュータを用いることから、高コストであった。例えば、適合する負荷の種類を多くする場合（例えば、１０Ｖ程度の電圧を供給する負荷だけでなく、１００Ｖ程度の電圧を供給する負荷にまで対応する場合）には、負荷の種類ごとに適合するマイクロコンピュータを用意する必要があり、更に高コストとなることがあった。
【０００５】
本発明が解決しようとする課題は、負荷に供給する電圧の急変をより簡易な構成で検出可能な電源装置および照明装置を提供することを目的とする。
【課題を解決するための手段】
【０００６】
一実施形態の電源装置は、電源からの電流を定電流として発光素子へ供給する定電流部と、前記発光素子に印加させる電圧を検出する電圧検出回路と、前記電圧検出回路と並列に接続され、前記発光素子に印加される電圧の変動に対して所定の時定数に対応した出力を行う時定数回路と、前記電圧検出回路の出力と、前記時定数回路の出力とを比較して前記発光素子に印加される電圧の急変を検出する検出部と、検出された電圧の急変に応じて、前記定電流部を制御する制御部とを具備する。
【図面の簡単な説明】
【０００７】
【図１】図１は、実施形態にかかる電源装置の回路構成を例示する回路図である。
【図２】図２は、電圧判定回路の比較器からの出力を説明する説明図である。
【図３】図３は、変形例１にかかる電圧判定回路の比較器からの出力を説明する説明図である。
【図４】図４は、変形例２にかかる電圧判定回路の比較器からの出力を説明する説明図である。
【図５】図５は、変形例３にかかる電圧判定回路の比較器からの出力を説明する説明図である。
【図６】図６は、光源へ供給する電圧、電流を説明する説明図である。
【図７】図７は、光源へ供給する電圧、電流を説明する説明図である。
【図８】図８は、光源へ供給する電圧、電流を説明する説明図である。
【発明を実施するための形態】
【０００８】
以下、図面を参照して、実施形態にかかる電源装置および照明装置を説明する。実施形態において同一の機能を有する構成には同一の符号を付し、重複する説明は省略する。なお、以下の実施形態で説明する電源装置および照明装置は、一例を示すに過ぎず、実施形態を限定するものではない。また、以下の各実施形態は、矛盾しない範囲内で適宜組みあわせてもよい。
【０００９】
以下で説明する実施形態にかかる電源装置１０は、電源１００からの電流を定電流として光源２１へ供給する定電流回路１１０と、光源２１にかかる電圧を検出する電圧検出回路１４２（１４２ａ、１４２ｂ）と、電圧検出回路１４２（１４２ａ、１４２ｂ）と並列に接続され、光源２１にかかる電圧の変動に対して所定の時定数に対応した出力を行う時定数回路１４３（１４３ａ）と、電圧検出回路１４２（１４２ａ、１４２ｂ）の出力と、時定数回路１４３（１４３ａ）の出力とを比較して光源２１にかかる電圧の急変を検出する比較器１４４と、検出された電圧の急変に応じて、定電流回路１１０を制御する制御回路１３０とを具備する。
【００１０】
また、以下で説明する実施形態にかかる電源装置１０において、制御回路１３０は、電圧の急変が検出された場合に、定電流回路１１０の出力を低減又は停止させる。
【００１１】
また、以下で説明する実施形態にかかる電源装置１０において、制御回路１３０は、電圧の急変が検出された場合に、定電流回路１１０を再始動させる。
【００１２】
また、以下で説明する実施形態にかかる電源装置１０は、光源２１にかかる電圧の急変の検出を遅延させる遅延回路１６０を更に備える。
【００１３】
また、以下で説明する実施形態にかかる電源装置１０において、制御回路１３０は、定電流回路１１０の出力を開始した後の所定時間内に電圧の急変が検出された場合には定電流回路１１０の出力を低減させ、所定時間後に電圧の急変が検出された場合には定電流回路１１０の出力を停止させる。
【００１４】
また、以下で説明する実施形態にかかる照明装置１は、電源装置１０と、電源装置１０の負荷としての光源２１とを具備する。
【００１５】
図１は、実施形態にかかる電源装置１０の回路構成を例示する回路図である。光源部２０は、下方向に向けて光を照射する光源２１（発光素子）を有する。光源２１は、一例としてＬＥＤ（Light  Emitting  Diode）素子等の半導体発光素子などであってよいし、有機ＥＬ等の素子であってもよい。電源装置１０は、負荷としての光源２１に電力を供給し、例えば光源２１を点灯させる。
【００１６】
図１に示すように、電源装置１０は、電源１００と、定電流回路１１０と、電流検出回路１２０と、制御回路１３０と、電圧判定回路１４０と、出力制御回路１５０と、遅延回路１６０と、安全回路１７０とを有する。電源１００は、直流電源であり、例えば商用電源を全波整流したものであってよい。電源装置１０は、電源１００からの電流を定電流として光源２１へ供給する。
【００１７】
なお、図１において、Ｅは接地を示す。また、ＶＤＣは電源１００の電圧を示す。また、Ｖ０、Ｉ０は光源２１に供給される電圧、電流を示す。また、Ｖｏｐは電流検出回路１２０からの出力を、Ｖｃｏｍｐは電圧判定回路１４０からの出力を、Ｖｓは安全回路１７０からの出力を示す。
【００１８】
電源１００の出力には、定電流回路１１０が接続されている。定電流回路１１０は、電源１００から出力された電流を定電流として光源２１へ供給する回路である。具体的には、定電流回路１１０は、スイッチング素子１１３、ダイオード１１４、インダクタ１１５、平滑コンデンサ１１６および抵抗１１７を有する。電源１００の出力端（定電流回路１１０の入力端）には、ＭＯＳＦＥＴ（Metal-Oxide-Semiconductor  Field-Effect  Transistor）などのスイッチング素子１１３と、ダイオード１１４との直列回路が接続されている。さらに、スイッチング素子１１３とダイオード１１４との接続点からは、インダクタ１１５を介して光源２１が接続されており、この光源２１とは並列に平滑コンデンサ１１６が接続されている。
【００１９】
抵抗１１７は、光源２１を流れる電流検出を行うためのものである。この抵抗１１７と、平滑コンデンサ１１６との接続点が電流検出回路１２０に接続されており、電流検出回路１２０は、この接続点からの出力（電圧値）をもとに、光源２１の電流（光源２１の電流に比例した電流）を検出する。
【００２０】
具体的には、電流検出回路１２０は、可変電圧器１２１と、比較器１２２とを有する。比較器１２２は、抵抗１１７および平滑コンデンサ１１６の接続点からの電圧と、可変電圧器１２１からの電圧とを比較し、比較結果をＶｏｐとして制御回路１３０へ出力する。可変電圧器１２１には、光源２１に目標とする定電流を流した場合における、抵抗１１７および平滑コンデンサ１１６の接続点の電圧値に対応する値を設定する。これにより、電流検出回路１２０からは、定電流の目標とする電流値と、光源２１における現在の電流値との差分がＶｏｐとして出力される。
【００２１】
制御回路１３０は、定電流回路１１０のスイッチング素子１１３におけるオンオフを制御する回路である。具体的には、制御回路１３０は、スイッチング素子１１３のゲートに接続され、Ｖｏｐをもとに、スイッチング素子１１３のスイッチング動作をＰＷＭ（Pulse  Width  Modulation）で制御する定電流制御を行う。これにより、定電流回路１１０は、電源１００から出力された電流を定電流とする。この定電流が光源２１に供給されて、光源２１が点灯する。
【００２２】
電圧判定回路１４０は、定電流回路１１０から光源２１への出力を受けて、光源２１にかかる電圧に急変が生じているか否かを判定する回路である。ここでいう電圧の急変とは、数ｍｓ程度の比較的短い時間内における電圧の変動である。例えば、数ｍｓ程度の間に所定値（例えば５Ｖ程度）以上の変動がある場合や、数ｍｓ程度の間に所定割合（例えば２０％）以上の変動がある場合などが該当する。
【００２３】
電圧判定回路１４０は、抵抗１４１、電圧検出回路１４２、時定数回路１４３および比較器１４４を有する。定電流回路１１０の出力には、抵抗１４１と、電圧判定回路１４０との直列回路が接続されている。また、抵抗１４１と、電圧判定回路１４０との接続点からは時定数回路１４３が接続されており、電圧検出回路１４２と時定数回路１４３とは並列な接続となっている。
【００２４】
電圧検出回路１４２は、抵抗１４５と定電源１４６との直列回路である。なお、定電源１４６の代わりに定電圧ダイオードを用いてもよい。抵抗１４５と定電源１４６との間の接続点には接地（Ｅ）から定電源１４６が供給する電圧が印加されている。この定電源１４６の電圧値には、電圧の急変として判定するための所定値（例えば５Ｖ程度）に応じたものを設定する。そして、この接続点には比較器１４４が接続されており、比較器１４４には接続点の電圧が入力される。
【００２５】
時定数回路１４３は、コンデンサ１４７と抵抗１４８との微分回路（ＣＲ回路）であり、コンデンサ１４７と抵抗１４８との値によって決まる時定数を有する。この時定数には、電圧の急変として判定するための期間に応じたものを設定する。コンデンサ１４７と抵抗１４８との間の接続点には比較器１４４が接続されており、比較器１４４には接続点の電圧が入力される。この接続点の電圧は、入力側の電圧に対して、コンデンサ１４７と抵抗１４８との値によって決まる時定数に応じたものとなる。具体的には、入力側の電圧が急変した場合、接続点の電圧は、急激に立ち上がった後に、時定数に応じた時間で降下する。
【００２６】
比較器１４４は、電圧検出回路１４２からの出力と、時定数回路１４３からの出力とを比較し、その比較結果を遅延回路１６０および出力制御回路１５０へ出力する。
【００２７】
図２は、電圧判定回路１４０の比較器１４４からの出力を説明する説明図である。図２において、Ｖ１は電圧判定回路１４０の入力側の電圧を示す。また、Ｖ２は、電圧検出回路１４２から比較器１４４への出力、すなわち、抵抗１４５と定電源１４６との間の接続点の電圧を示す。また、Ｖ３は、時定数回路１４３から比較器１４４への出力、すなわち、コンデンサ１４７と抵抗１４８との間の接続点の電圧を示す。
【００２８】
図２に示すように、Ｖ１に急変があった場合、Ｖ３は、Ｖ１の変動に対応して急激に立ち上がり、時定数に応じた時間で降下する。比較器１４４は、このＶ３と、Ｖ２（＝Ｖ）を比較した結果をＶｃｏｍｐとして出力する。具体的には、Ｖ３の立ち上がりから降下までの間で、Ｖ３がＶ２（＝Ｖ）より大きい期間（ｔ１）においてオフ（０）とする信号を出力する。これにより、比較器１４４は、例えば、数ｍｓ程度の間に所定値以上の変動があることを検出する。
【００２９】
なお、上述した電圧判定回路１４０において、時定数回路１４３には、微分回路のほかに積分回路を用いてもよい。また、電圧検出回路１４２は、２つの抵抗の比に対応した分電圧を検出する構成であってもよい。ここで、電圧判定回路１４０の変形例１〜３を説明する。
【００３０】
（変形例１）
変形例１では、時定数回路として積分回路を用いる場合を例示する。図３は、変形例１にかかる電圧判定回路１４０ａの比較器１４４からの出力を説明する説明図である。
【００３１】
図３に示すように、電圧判定回路１４０ａは、抵抗１４１、電圧検出回路１４２ａ、時定数回路１４３ａおよび比較器１４４を有する。電圧検出回路１４２ａは、定電源１４６と抵抗１４５との直列回路である。定電源１４６と抵抗１４５との間の接続点の電圧（Ｖ２）は、Ｖ１に対して定電源１４６の電圧（Ｖ）分降下したものとなっている。そして、この接続点には比較器１４４が接続されており、比較器１４４には接続点の電圧が入力される。
【００３２】
時定数回路１４３ａは、抵抗１４８とコンデンサ１４７との積分回路（ＲＣ回路）であり、抵抗１４８とコンデンサ１４７との値によって決まる時定数を有する。抵抗１４８とコンデンサ１４７との間の接続点には比較器１４４が接続されており、比較器１４４には接続点の電圧（Ｖ３）が入力される。なお、積分回路では、入力側の電圧（Ｖ１）に対する接続点の電圧（Ｖ３）は、時定数に応じた応答速度となる。
【００３３】
このため、Ｖ１に所定値（Ｖ）以上の急変があった場合、Ｖ２は、Ｖ１の変動に対応して線形に立ち上がる。これに対し、Ｖ３は、時定数に応じた応答速度で立ち上がる。比較器１４４は、このＶ２と、Ｖ３とを比較した結果をＶｃｏｍｐとして出力する。具体的には、Ｖ３が時定数に応じた応答速度で立ち上がる間で、Ｖ３がＶ２より大きくなる期間（ｔ２）においてオフ（０）とする信号を出力する。これにより、比較器１４４は、例えば、数ｍｓ程度の間に所定値以上の変動があることを検出する。
【００３４】
（変形例２）
変形例２では、時定数回路として微分回路、電圧検出回路として、２つの抵抗の比に対応した分電圧を検出する回路を用いる場合を例示する。図４は、変形例２にかかる電圧判定回路１４０ｂの比較器１４４からの出力を説明する説明図である。
【００３５】
図４に示すように、電圧判定回路１４０ｂは、抵抗１４１、電圧検出回路１４２ｂ、時定数回路１４３および比較器１４４を有する。電圧検出回路１４２ｂは、抵抗１４５ａと抵抗１４５ｂとの直列回路である。抵抗１４５ａと抵抗１４５ｂとの間の接続点の電圧（Ｖ２）は、抵抗比に応じたＶ１の分電圧となっている。そして、この接続点には比較器１４４が接続されており、比較器１４４には接続点の電圧が入力される。
【００３６】
このため、Ｖ１に急変があった場合、Ｖ３は、Ｖ１の変動に対応して急激に立ち上がり、時定数に応じた時間で降下する。比較器１４４は、このＶ３と、Ｖ２（分電圧）を比較した結果をＶｃｏｍｐとして出力する。具体的には、Ｖ３の立ち上がりから降下までの間で、Ｖ３がＶ２（分電圧）より大きくなる期間（ｔ３）においてオフ（０）とする信号を出力する。これにより、比較器１４４は、例えば、数ｍｓ程度の間に所定割合以上の変動があることを検出する。
【００３７】
（変形例３）
変形例３では、時定数回路として積分回路、電圧検出回路として、２つの抵抗の比に対応した分電圧を検出する回路を用いる場合を例示する。図５は、変形例３にかかる電圧判定回路１４０ｃの比較器１４４からの出力を説明する説明図である。
【００３８】
図５に示すように、電圧判定回路１４０ｃは、抵抗１４１、電圧検出回路１４２ｂ、時定数回路１４３ａおよび比較器１４４を有する。
【００３９】
この変形例３では、Ｖ１に急変があった場合、Ｖ２は、Ｖ１の変動に対応して線形に立ち上がる。これに対し、Ｖ３は、時定数に応じた応答速度で立ち上がる。比較器１４４は、このＶ２と、Ｖ３とを比較した結果をＶｃｏｍｐとして出力する。具体的には、Ｖ３が時定数に応じた応答速度で立ち上がる間で、Ｖ３がＶ２より大きくなる期間（ｔ４）においてオフ（０）とする信号を出力する。これにより、比較器１４４は、例えば、数ｍｓ程度の間に所定割合以上の変動があることを検出する。
【００４０】
図１に戻り、出力制御回路１５０は、比較器１４４からの出力（Ｖｃｏｍｐ）を受けて、電流検出回路１２０の出力（Ｖｏｐ）の値を制御する。具体的には、比較器１４４からの出力に応じた電圧を電流検出回路１２０の出力に重畳する。これにより、制御回路１３０では、光源２１にかかる電圧の急変に応じた定電流制御を行うことができる。例えば、制御回路１３０は、光源２１にかかる電圧の急変に応じて、定電流回路１１０の出力を低減させるように、スイッチング素子１１３のオンオフを制御する。
【００４１】
遅延回路１６０は、比較器１４４からの出力（Ｖｃｏｍｐ）を所定時間（例えば数ｍｓ程度）遅延させる回路である。遅延回路１６０は、遅延させたＶｃｏｍｐを安全回路１７０へ出力する。なお、遅延回路１６０は、出力制御回路１５０へのＶｃｏｍｐの出力を遅延させてもよい。
【００４２】
安全回路１７０は、遅延回路１６０からの出力を受けて、定電流回路１１０の停止にかかる信号（Ｖｓ）を制御回路１３０へ出力する。具体的には、安全回路１７０は、光源２１にかかる電圧の急変を示す出力が所定時間継続する場合、すなわち、光源２１にかかる電圧に大きな異常が生じている場合に、Ｖｓを制御回路１３０へ出力する。
【００４３】
制御回路１３０では、Ｖｓの検出を受けて、定電流回路１１０の出力を停止させるように、スイッチング素子１１３をオフとする。なお、制御回路１３０は、Ｖｓの検出を受けた場合、定電流回路１１０を再始動させてもよい。具体的には、制御回路１３０は、Ｖｓの検出をもとに、スイッチング素子１１３をオフとする。次いで、制御回路１３０は、内部クロックなどのカウントをもとに、所定時間（例えば数秒）経過したところで、スイッチング素子１１３のスイッチング動作を再開することで、定電流回路１１０を再始動させる。なお、Ｖｓの検出を受けた場合の停止／再始動については、ディップスイッチや内部レジスタなどで事前に設定してもよい。
【００４４】
また、制御回路１３０は、定電流回路１１０の出力を開始した後の所定時間（例えば数秒程度）内は、安全回路１７０からの出力をキャンセル（マスク）して、安全回路１７０からの出力を受け付けないようにしてもよい。この場合、定電流回路１１０の出力を開始した後の所定時間内において、制御回路１３０は、出力制御回路１５０を経由した電圧の急変の検出に応じて、定電流回路１１０の出力を低減することとなる。そして、所定時間後において、安全回路１７０からＶｓの検出を受けた場合、制御回路１３０は定電流回路１１０の出力を停止させる。
【００４５】
図６〜８は、光源２１へ供給する電圧、電流を説明する説明図である。より具体的には、図６は光源２１にかかる電圧の急変に応じた定電流制御を行わない場合を例示している。また、図７は光源２１にかかる電圧の急変に応じた定電流制御を行う場合を例示している。図８はＶｓをもとに定電流回路１１０を停止する場合を例示している。なお、図６〜８におけるＴ１は起動開始時刻、ＶＦは光源２１のダイオードにおける順電圧、Ｔ２は電圧が急変した時刻を示す。また、Ｔ３は起動後の所定時間、Ｔ４は電圧の急変を受けてＶｓが検出された時刻を示す。
【００４６】
図６、７を比較しても明らかなように、光源２１にかかる電圧の急変に応じた定電流制御を行うことで、電圧を緩やかに変化させ、光源２１の保護を行うことができる。また、図８に示すように、起動してから所定時間（Ｔ３）後に電圧の急変があった場合は、定電流回路１１０の出力を停止させることで、光源２１の保護を行うことができる。
【００４７】
以上のように、実施形態にかかる電源装置１０は、電源１００からの電流を定電流として光源２１へ供給する定電流回路１１０と、光源２１にかかる電圧を検出する電圧検出回路１４２（１４２ａ、１４２ｂ）と、電圧検出回路１４２（１４２ａ、１４２ｂ）と並列に接続され、光源２１にかかる電圧の変動に対して所定の時定数に対応した出力を行う時定数回路１４３（１４３ａ）と、電圧検出回路１４２（１４２ａ、１４２ｂ）の出力と、時定数回路１４３（１４３ａ）の出力とを比較して光源２１にかかる電圧の急変を検出する比較器１４４と、検出された電圧の急変に応じて、定電流回路１１０を制御する制御回路１３０とを具備する。
【００４８】
このため、実施形態にかかる電源装置１０によれば、光源２１に供給する電圧の急変を検出する構成において、マイクロコンピュータを用いることなく、ディスクリートな素子を用いた安価な構成とすることができる。また、マイクロコンピュータを用いることのないアナログ回路であるため、複数の光源２１の種別に容易に適合できる。具体的には、１０Ｖ程度の電圧を供給する光源２１だけでなく、１００Ｖ程度の電圧を供給する光源２１にまで容易に対応できる。よって、光源２１に供給する電圧の急変に対して、より簡易な構成かつ低コストで検出可能である。
【００４９】
また、実施形態にかかる電源装置１０において、制御回路１３０は、電圧の急変が検出された場合に、定電流回路１１０の出力を低減又は停止させる。このため、実施形態にかかる電源装置１０によれば、光源２１における電圧の急変があった場合に、定電流回路１１０の出力を低減又は停止させることで、光源２１の保護を行うことができる。
【００５０】
また、実施形態にかかる電源装置１０において、制御回路１３０は、電圧の急変が検出された場合に、定電流回路１１０を再始動させる。このため、実施形態にかかる電源装置１０によれば、光源２１における電圧の急変があった場合には、定電流回路１１０を再始動させることができる。
【００５１】
また、実施形態にかかる電源装置１０は、光源２１にかかる電圧の急変の検出を遅延させる遅延回路１６０を更に備える。このため、実施形態にかかる電源装置１０によれば、光源２１にかかる電圧の急変に対して、遅延した制御を行うことができる。
【００５２】
また、実施形態にかかる電源装置１０において、制御回路１３０は、定電流回路１１０の出力を開始した後の所定時間内に電圧の急変が検出された場合には定電流回路１１０の出力を低減させ、所定時間後に電圧の急変が検出された場合には定電流回路１１０の出力を停止させる。このため、実施形態にかかる電源装置１０によれば、定電流回路１１０の出力を開始した後の所定時間内においては、電圧の急変に対して定電流回路１１０の出力を低減することで、光源２１を保護しつつ起動させることができる。また、定電流回路１１０の出力を開始した後の所定時間後に電圧の急変が検出された場合には、定電流回路１１０の出力を停止させて、光源２１を保護することができる。
【００５３】
また、実施形態にかかる照明装置１は、電源装置１０と、電源装置１０の負荷としての光源２１とを具備する。このため、実施形態にかかる照明装置１では、光源２１に供給する電圧の急変に対して、簡易な構成かつ低コストで検出可能となる。
【００５４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１…照明装置、１０…電源装置、２０…光源部、２１…光源（発光素子）、１００…電源、１１０…定電流回路、１１３…スイッチング素子、１１４…ダイオード、１１５…インダクタ、１１６…平滑コンデンサ、１１７…抵抗、１２０…電流検出回路、１３０…制御回路、１４０、１４０ａ、１４０ｂ、１４０ｃ…電圧判定回路、１４１…抵抗、１４２、１４２ａ、１４２ｂ…電圧検出回路、１４３、１４３ａ…時定数回路、１４４…比較器、１５０…出力制御回路、１６０…遅延回路、１７０…安全回路、Ｅ…接地
【図１】
2015185434.tif 000003
【図２】
2015185434.tif 000004
【図３】
2015185434.tif 000005
【図４】
2015185434.tif 000006
【図５】
2015185434.tif 000007
【図６】
2015185434.tif 000008
【図７】
2015185434.tif 000009
【図８】
2015185434.tif 000010